(57)【要約】【課題】ガードレールよりも道路側に突出せず、設置が簡単で安定して看板を標示可能な看板支持具を提供することである。【解決手段】ガードレールを上下方向から挟持する上部挟持体２ａと下部挟持体２ｂからなる一対の挟持部２と、上部挟持体２ａに貫設され看板の脚部を挿脱可能に支持する中空の看板脚支持部４と、一の端部が上部挟持体２ａに垂設され他の端部が下部挟持体２ｂに貫設されて下部挟持体２ｂをスライド可能に保持するガイド部５と、上部挟持体２ａと下部挟持体２ｂに渡設され長さを調整して上部挟持体２ａと下部挟持体２ｂの距離を自在に定める帯状部６とこの帯状部６を留めて距離を維持する留め具８とからなる長さ調整部材とを有するものである。【選択図】図１
0003162978.tif 000002
【実用新案登録請求の範囲】
【請求項１】
ガードレールを上下方向から挟持する，上部挟持体と下部挟持体からなる一対の挟持部と、前記上部挟持体に貫設され看板の脚部を挿脱可能に支持する，中空の看板脚支持部と、一の端部が前記上部挟持体に垂設され他の端部が前記下部挟持体に貫設されて前記下部挟持体をスライド可能に保持するガイド部と、前記上部挟持体と下部挟持体に渡設され長さを調整して前記上部挟持体と前記下部挟持体の距離を自在に定める帯状部と，この帯状部を留めて前記距離を維持する留め具と，からなる長さ調整部材とを有することを特徴とする看板支持具。
【請求項２】
前記上部挟持体はガードレールの上端部に当接可能な切欠部が形成され、前記下部挟持体はガードレールの下端部に当接可能な切欠部が形成されることを特徴とする請求項１に記載の看板支持具。
【請求項３】
前記ガードレールの略中央部に当接可能に前記ガイド部に固着され，弾力性を有する材料で形成される撓み防止部材を備えることを特徴とする請求項１又は請求項２に記載の看板支持具。
【請求項４】
２本の脚部を備える看板の一の脚部を挿脱可能に支持する，中空の第１の看板脚支持部と、前記看板の他の脚部を挿脱可能に支持する，中空の第２の看板脚支持部と、前記第１の看板脚支持部と前記第２の看板脚支持部を連結する連結部と、この連結部に垂設され前記看板脚支持部に挿脱可能な脚部を備える補助部材を具備することを特徴とする請求項１乃至請求項３のいずれか１項に記載の看板支持具。
【考案の詳細な説明】
【技術分野】
【０００１】
本考案は、看板を支持して道路脇に設置されるガードレールに固定し、ガードレール近傍に看板を標示させる看板支持具に関する。
【背景技術】
【０００２】
従来から、道路上に道路工事等の情報を標示するために道路脇に立設される立看板が広く用いられている。しかしながら、単に道路上に立設される立看板では、強風等で容易に転倒したり、また、走行する車が衝突したりする不具合を抱えていた。そこで、道路の両端に設置されるガードレール等の道路防護柵に看板を安定して支持する装置が考えられている。
【０００３】
例えば、特許文献１には、「看板取付具」という名称でガードレールの支柱に取付けてガードレールの表側に突出せず安定して看板を掲示することができる看板取付具に関する発明が開示されている。
この特許文献１に開示された発明は、ガードレールの支柱に締付け抱持固定可能な固定機構部を備える基体と、この基体の上部に設置され看板の左右の脚部をそれぞれ取付保持する看板取付部とを有し、固定機構部は、支柱の周側面に巻き付き抱持可能な締付体と、支柱の上面部に当接係止する上面係止体とを備えるものである。
基体は、棒状体の水平杆部と垂下杆部をＴ字状に組んで構成され、ガードレールの支柱に平行に配置される垂下杆部に固定機構部が設置され、水平杆部に看板取付部が設置されている。そして、固定機構部の締付体は、例えば、Ｕ字状の線材で形成した抱持体と所定の長さのチャンネル材で形成された閉塞体で構成され、Ｕ字状の抱持体がガードレールの支柱に巻き付き、その開放部に閉塞体が配置されてネジで螺着してガードレールの支柱に強固に固定される構造で、同様の構造のものが基体の垂下杆部の上下二か所に設置されている。
また、上面係止体は、板状突片で形成され、締付体よりも上方に配置されて垂下杆部に設置されるものであり、支柱に対して締付体が仮止めの状態であっても、上面係止体が支柱の上面に当接して係止するので、締付体の締付け位置を移動させることなく取付作業を容易に行うことができる。
そして、看板取付部は、２本の脚部を備える看板のそれぞれ一体に形成されて、ネジ止めによる係止装置を備えて、看板の脚部を固定できるようになっている。また、基体は、看板取付部を基体に対して水平左右方向にスライド可能で位置決め固定可能なスライド機構を備えており、看板が道路に出過ぎない位置までスライド移動して固定することができる。さらに、水平杆部は長さを変更可能に構成することができ、看板の脚部の距離に合わせて看板取付部の位置を変更することができる。
【０００４】
また、特許文献２には、「立看板支持装置」という名称で、ガードレールに強固に固定可能な立看板支持装置に関する考案が開示されている。
この特許文献２に開示された考案は、道路のガードレールに添わせて配置される支柱と、この支柱の上部に略水平に設置され立看板を支持する腕木と、両端部が支柱に固定されガードレールを挟持してガードレールに支柱を固定可能な挟持板とを有するものである。
支柱は鉄製の丸パイプや角パイプ等を用いたもので、ガードレールの上下両縁間の幅よりも若干大きい間隔を隔てて、２個の挟持板取付孔が貫通され、上端にはボルトが突設されている。そして、腕木は鉄製の角パイプを加工したもので、両端部には、立看板の脚部を支持可能な断面が長方形で短い角パイプ状の係止部が設置され、また、腕木の中央部には支柱の上部のボルトが挿通可能な貫通孔が設けられており、支柱のボルトを腕木の貫通孔に挿通させてナットで螺合することによって支柱と腕木を固定することができる。
また、貫通孔は位置を変えて他の貫通孔を穿設可能で、腕木の貫通孔を選定することにより、ガードレールに対する腕木の水平位置を変えることができる。さらに、腕木に突設される突起が嵌合可能な複数の貫通孔を備える支承板を支柱と腕木に介設し、突起が嵌合する貫通孔を選定することによって腕木の角度を調整することができる。
そして、挟持板は、細長い鉄板の一部を曲げた形状のもので、中央部分にはガードレールの厚みに対応させて片側に湾曲させた挟持部が形成されており、上端部及び下端部には、支柱の挟持板取付孔に対応した貫通孔が穿設されている。したがって、挟持板の挟持部にガードレールを抱持させて挟持板の貫通孔と支柱の挟持板取付孔にボルト挿入してナットで螺合すると、支柱をガードレールで強固に固定することができ、支柱の上部に固定される腕木の係止部に立看板の脚部を挿入すると、ガードレール近傍に立看板を標示させることができる。
【０００５】
そして、特許文献３には、「道路標識固定金具」という名称で、道路標識を短時間で取付けることができ、道路側に突出しない道路標識固定金具に関する発明が開示されている。この特許文献３に開示された発明は、ガードレール等の道路防護柵に鉛直に固定される支持部材と、この支持部材を中心にして水平方向に回転可能な回転部材と、この回転部材の両端部に固定され水平方向に延設される上側腕部材及び下側腕部材と、下側腕部材の先端に連結され道路標識の脚部の下端を支持する下支え部材と、上側腕部材の先端に結合され道路標識の脚部を把持するバンド状把持部材と、支持部材に対する回転部材の回転を規制し上側腕部材及び下側腕部材を道路防護柵裏側の退避位置から道路防護柵表側の道路標識取付位置まで移動可能として退避位置又は道路標識取付位置で回転部材を位置決めする回転位置決め機構とを有するものである。
支持部材は金属製の管状体で形成され、この支持部材の上下２か所に設けられる腕部材をガードレールの支柱に巻き付けて固定する。
そして、回転部材は支持部材よりも長い管状体で形成されて支持部材に内挿されて回動可能に構成されており、支持部材から露出する上下端部にはそれぞれ道路標識の脚部を支持する上側腕部材と下側腕部材が垂設されている。そして、回転部材には上下位置にそれぞれ一対のピンが突設されており、これらのピンが掛合する切込みが支持部材に形成されており、ピンが切込みに掛合することによって回動部材の回動が規制されるようになっている。
また、切込みの形状によって回動部材を９０度の範囲で回動して固定することができるので、回動部材に固設される上側腕部材と下側腕部材を道路防護柵の道路標識取付位置に固定したり退避位置に固定したりすることを可能とし、不要時には、上側腕部材と下側腕部材を退避位置に固定して道路防護柵の内側に収納することができる。
【先行技術文献】
【特許文献】
【０００６】
【特許文献１】特許第３５５３４４５号
【特許文献２】実登第３０７１２８８号
【特許文献３】特許第２８９８２４９号
【考案の概要】
【考案が解決しようとする課題】
【０００７】
しかしながら、上述の従来技術である特許文献１に開示された発明は、基体にスライド機構を設けて看板取付部水平左右方向にスライドさせて看板が道路に出過ぎない位置で固定することが可能であるが、ガードレールから道路側への突出は完全にはなくならず、また、看板取付部をスライドさせた場合には重心が移動し、基体による看板の支持が不安定になるという懸念があった。また、ガードレールの支柱に固定する構成であるので、設置位置が限定されるという課題もあった。
【０００８】
また、特許文献２に開示された考案は、支柱に対する腕木の平行位置や向きを調整可能とし、ガードレールから腕木が突出しないように考えられているが、特許文献１と同様に、完全に突出がなくなることはなく、走行する車と接触する危険性が高いという課題があった。
【０００９】
そして、特許文献３に開示された発明は、看板の脚部の支持部材が回動可能であり、不使用時にはガードレールの内側の退避位置に固定することができるが、使用時にはガードレールの道路側に固定する構成であり、看板はガードレールの道路側に標示されるので、特許文献１及び特許文献２と同様に安全面に劣るという課題があった。また、特許文献１と同様にガードレールの支柱に固定するので設置位置が限定されるという課題もあった。
【００１０】
本考案はかかる従来の事情に対処してなされたものであり、ガードレールよりも道路側に突出せず、設置が簡単で安定して看板を標示可能な看板支持具を提供することを目的とする。
【課題を解決するための手段】
【００１１】
上記目的を達成するため、請求項１記載の考案である看板支持具は、ガードレールを上下方向から挟持する，上部挟持体と下部挟持体からなる一対の挟持部と、上部挟持体に貫設され看板の脚部を挿脱可能に支持する，中空の看板脚支持部と、一の端部が上部挟持体に垂設され他の端部が下部挟持体に貫設されて下部挟持体をスライド可能に保持するガイド部と、上部挟持体と下部挟持体に渡設され長さを調整して上部挟持体と下部挟持体の距離を自在に定める帯状部と，この帯状部を留めて距離を維持する留め具と，からなる長さ調整部材とを有するものである。
このような構成の看板支持具によれば、一対の挟持部は、上部挟持体と下部挟持体がガードレールを上下方向から挟持するように作用する。また、看板脚支持部は上部挟持体に貫設されて中空の内部に看板を脚部を収容して支持するように作用する。そして、ガイド部は、上部挟持体と下部挟持体の平行を維持しながら下部挟持体をスライド可能に保持するように作用する。また、長さ調節部材では、帯状部が長さを変えて上部挟持体と下部挟持体の距離を自在に定めるように作用し、留め具は帯状部を固定して距離を維持するように作用する。
なお、本願考案におけるガードレールとは、板状のガードレールに加えて、水平に複数本並設される管状のガードレールをも含む概念である。
【００１２】
また、請求項２記載の考案は、請求項１記載の看板支持具において、上部挟持体はガードレールの上端部に当接可能な切欠部が形成され、下部挟持体はガードレールの下端部に当接可能な切欠部が形成されるものである。
このような構成の看板支持具においては、請求項１に記載の考案の作用に加えて、上部挟持体の切欠部はガードレールの上端部に当接して上部挟持体のずれを防止するように作用し、下部挟持体の切欠部はガードレールの下端部に当接して下部挟持体のずれを防止するように作用する。
なお、ガードレールの上端部とは、管状のガードレールでは複数本のうち、最も上段に設置される管状ガードレールの上端部を意味し、ガードレールの下端部とは、管状のガードレールのうち、下段に設置される管状ガードレールの下端部を意味するものである。
【００１３】
そして、請求項３記載の考案は、請求項１又は請求項２に記載の看板支持具において、ガードレールの略中央部に当接可能にガイド部に固着され，弾力性を有する材料で形成される撓み防止部材を備えるものである。
このような構成の看板支持具においては、請求項１又は請求項２に記載の考案の作用に加えて、撓み防止材は弾力を備えてガードレールの略中央部に当接してガイド部が撓むのを防止するように作用する。
【００１４】
最後に、請求項４記載の考案は、請求項１乃至請求項３のいずれか１項に記載の看板支持具において、２本の脚部を備える看板の一の脚部を挿脱可能に支持する，中空の第１の看板脚支持部と、看板の他の脚部を挿脱可能に支持する，中空の第２の看板脚支持部と、第１の看板脚支持部と第２の看板脚支持部を連結する連結部と、この連結部に垂設され看板脚支持部に挿脱可能な脚部を備える補助部材を具備するものである。
このような構成の看板支持具においては、請求項１乃至請求項３のいずれか１項に記載の考案の作用に加えて、補助部材では、中空の第１の看板脚支持部及び第２の看板脚支持部は、２本の脚部を備える看板の脚部をそれぞれ内部に収容して支持し、第１の看板脚支持部と第２の看板脚支持部を連結する連結部に垂設される脚部は、看板脚支持部の内部に収容且つ支持されるように作用する。
【考案の効果】
【００１５】
以上説明したように、本考案の請求項１に記載の看板支持具においては、長さ調節部材の帯状部が一対の挟持部の上部挟持体と下部挟持体の距離を自在に調整して、ガードレールの高さ方向の幅に上部挟持体と下部挟持体に合わせ、帯状部が張った状態で長さ調節部材の留め具で留めるので、上部挟持体と下部挟持体によって看板支持具はガードレールに簡単且つ強固に固定される。このとき、ガイド部に沿って下部挟持体はスライド移動できるので上部挟持体と下部挟持体の距離の調整が容易であり、また、上部挟持体と下部挟持体は平行位置でガードレールを挟持することができる。そして、上部挟持体に設けられる看板脚支持部に看板の脚部が支持されるので、ガードレール近傍に看板を安定して標示することができる。
【００１６】
また、本考案の請求項２に記載の看板支持具においては、上部挟持体の切欠部と下部挟持体の切欠部が、ガードレールの上下端部にそれぞれ当接するので、上部挟持体及び下部挟持体がずれることなく安定した挟持状態を保持することができる。
【００１７】
そして、本考案の請求項３に記載の看板支持具においては、撓み防止材はガードレールの略中央部に当接して、長さ調整部材の張力によってガイド部材が撓むのを防止することができる。また、弾力を備えているので軟らかく、当接するガードレールを傷付けることなく、さらに、滑ることなくガードレールに当接することができる。
【００１８】
最後に、本考案の請求項４に記載の看板支持具においては、補助部材は第１の看板脚支持部と第２の看板脚支持部を備えて２本の看板脚を支持することが可能であり、２本の脚部を備える看板を支持してガードレール近傍に標示することができる。
【図面の簡単な説明】
【００１９】
【図１】本考案の実施の形態に係る看板支持具の概念図である。
【図２】本実施の形態に係る看板支持具の一部を示す斜視図である。
【図３】本実施の形態に係る看板支持具の補助部材の概念図である。
【考案を実施するための形態】
【００２０】
以下に、本考案に係る看板支持具の実施の形態を図１乃至図３を参照しながら説明する。
図１は、本考案の実施の形態に係る看板支持具の概念図である。
図１において、看板支持具１は、ガードレール１０を上下方向から挟持する上部挟持体２ａと下部挟持体２ｂで構成される一対の挟持体２と、上部挟持体２ａに貫設され看板１１の脚部を挿脱可能に支持する看板脚支持筒４と、上部挟持体２ａに垂設され下部挟持体２ｂを貫通するガイド５と、上部挟持体２ａと下部挟持体２ｂに渡設されるベルト６とこのベルト６を留める留め具８とから構成される長さ調整部材を備えている。
【００２１】
上部挟持体２ａ及び下部挟持体２ｂは、プラスチック、金属や木材等を用いた略直方体形状であり、上部挟持体２ａよりも下部挟持体２ｂの方が狭幅に形成されている。上部挟持体２ａの一の端部側には断面が上向きの三角形状の切欠３ａが形成されており、この切欠３ａは、一の面がガードレール１０の上端部の屈曲に当接している。また、下部挟持体２ｂの一の端部には断面が下向きの三角形状の切欠３ｂが形成されており、この切欠３ｂは、一の面がガードレール１０の下端部の屈曲に当接している。
このように切欠３ａ及び切欠３ｂは、ガードレールの上下の端部に当接して、一対の挟持体２によるガードレールの挟持において、ガードレールから一対の挟持体２がずれることなく、安定した挟持を補助することができる。なお、切欠３ａ及び切欠３ｂの形状は特に限定されるものでなく、一対の挟持体２が挟持するガードレールや他の道路防護柵の上下の端部の形状に合わせて形成するとよい。また、切欠３ａ及び切欠３ｂの当接面にゴムや合成樹脂等の滑り止め材を設けると、一対の挟持体２は摩擦によってさらに滑り難くなり強固な挟持が行える。
なお、本実施の形態に係る看板支持具の設置対象のガードレールとしては、図１に示されるガードレール１０のように板状のものの他、図示しないが、水平に設置された複数本の管状体から構成されるガードレールであってもよい。その場合には、切欠３ａは複数本の管状体のうち最も上側の管状体の上端部に当接させ、切欠３ｂは複数本の管状体のうち最も下側の管状体の下端部に当接させるようにして固定するとよい。管状体から構成されるガードレールは通常円管から構成されているが、切欠３ａ，３ｂであれば円管の表面の２点に接触して一対の挟持体２（上部挟持体２ａ，下部挟持体２ｂ）で挟持することができる。
【００２２】
また、上部挟持体２ａの他の端部側には看板脚支持筒４が貫設されている。看板脚支持筒４は、金属製の角柱形状で内部が中空になっており、上部から看板１１の脚部を挿入し、収容することが可能である。看板１１の脚部は多くの場合は角柱形状であるので、看板脚支持筒４に収容されると、看板脚支持筒４の角柱形状に合致して、看板１１は回動が抑制されて、看板１１の標示面を同方向に保持することができる。
なお、看板脚支持筒４には、例えば、穿設した貫通孔にネジを螺合させてネジの端部を看板１１の脚部に当接させることで摩擦力を生じさせ、看板１１の脚部を固定するようにしてもよい。すなわち、ネジ等の固定具を設置することもできる。また、この看板脚支持筒４の長さは図１中では下部挟持体２ｂまでは足らない長さとなっているが、その長さは特に限定するものではなく、例えば、下部挟持体２ｂの幅を上部挟持体２ａの幅と同等にして看板脚支持筒４を下部挟持体２ｂに穿設した孔に挿通するようにしてもよい。このような構造とすることで、ガイド５の強度と相まって、より強固に看板１１を固定することが可能であるし、上部挟持体２ａと下部挟持体２ｂの平行を出しやすく、よって看板１１の垂直を維持することも容易である。
【００２３】
そして、上部挟持体２ａの一の端部側の切欠３ａに隣接して、ガイド５が垂設されている。ガイド５の下端側には下部挟持体２ｂが貫通されており、下部挟持体２ｂはガイド５に沿ってスライド可能になっている。したがって、上部挟持体２ａと下部挟持体２ｂをガードレール１０の幅に調整する際には、下部挟持体２ｂをガイド５に沿って上下にスライド移動させることにより簡単に幅調整を行うことができる。また、ガイド５は上部挟持体２ａに垂設されており、下部挟持体２ｂもまたガイド５に直交するようにガイド５用貫通孔が穿設されているので、上部挟持体２ａと下部挟持体２ｂは常に平行位置に保持することができる。なお、ガイド５は上部挟持体２ａに一体に垂設されるようにしてよいし、また、上部挟持体２ａに穿設される孔に嵌めて垂設されるようにしてもよい。また、ガイド５の材料や形状は特に限定されるものでなく、例えば、金属製あるいは間伐材等を利用した木製の角柱や円柱等を用いるとよく、さらに、中空構造にすると軽量化できる。
また、ガイド５の略中央には、弾性体であるゴム９が固着されており、ゴム９はガードレール１０の略中央部に当接している。後に説明するが、一対の挟持体２はベルト６によって引っ張られた状態でガードレール１０に固定されている。したがって、このベルト６の張力によってガイド５にはベルト６方向に撓む力が作用するが、ゴム９がガードレール１０の略中央部に当接して当接面でガイド５を支持してガイド５が撓むのを防止することができる。従って、ガイド５の変形を防止しながら、上部挟持体２ａと下部挟持体２ｂの平行を担保可能であり、それはとりもなおさず看板１１の垂直を担保可能ということでもあり、優れた効果を発揮するものである。
なお、撓み防止部材としては、ゴム９以外にもスポンジ等の弾性を備える材料を用いたり、布地を巻いて弾性を出すこともできる。また、ゴム９の形状はガードレール１０の形状に合わせて設定するとよい。また、図１においては撓み防止部材としてのゴム９が板状のガードレールの略中央部に当接しているが、複数本の管状体から構成されるガードレールの場合には、２本の管状体の場合にはゴム９を当接させることはできないものの、３本以上であれば、最上部と最下部以外の中間部に管状体が存在していることから、その中間部に存在する管状体に当接させるようにするとよい。
なお、撓み防止部材としての弾性体であるゴム９は、例えばガイド５を太く形成することができガードレールに密着して撓みがないような状況では、必ずしも必要ではないので設けなくともよい。また、設置後に撓みが生じるようたような場合に補修目的で後付けに設けるようにしてもよい。
【００２４】
上部挟持体２ａと下部挟持体２ｂにはそれぞれリング７ａ及びリング７ｂが固設されており、このリング７ａ及びリング７ｂにはベルト６が輪になるように挿通されてベルト６の両端部は留め具８で固定されている。ベルト６はポリエステル等の繊維で形成された高強度のものであり、一対の挟持体２を確実に連結することができる。しかも、このようなベルト６であれば、片手で簡単に引っ張りながら長さ調節を行うことが可能であり、従来技術のようなボルトなどを絞める必要性がなく作業員の労力を軽減することが可能である。
また、留め具８の詳しい構造については図示していないが、その構造は特に限定されず、留めた状態ではベルト６の長さを変えずに維持し、留めを解除した状態ではベルト６の長さを自在に変更できる構造であればよく、例えば、ベルト６の一の端部を固定し、他の端部を挿通可能に支持して他の端部を引っ張ってベルト６の長さを変えて、所望の長さになったときにバックル等で固定する構造が挙げられる。
【００２５】
次に、図２は、本実施の形態に係る看板支持具の一部を示す斜視図である。
図２において、上部挟持体２ａ及び下部挟持体２ｂは略直方体形状であり、一の端部側に切欠３ａ及び切欠３ｂがそれぞれガードレールの上下端部に当接するように連続して形成されていることがわかる。また、ガイド５は細長い角柱形状であり、上端部は、上部挟持体２ａに形成されたガイド部用嵌合孔１３に嵌合して上部挟持体２ａに固設されており、下端部近傍は、下部挟持体２ｂに形成されるガイド部用貫通孔１４に貫通している。そして、看板脚支持筒４はガイド５よりも短い角柱形状であり、ガイド５と同様に上部挟持体２ａに形成された看板脚支持筒用嵌合孔１５に嵌合され、中空の内部は看板脚挿通孔１２であり、看板の脚部を挿脱可能になっている。また、ベルト、留め具及びリングの記載は省略しているが、上部挟持体２ａ及び下部挟持体２ｂに穿設されるリング固定孔１６ａ，１６ｂ及びリング固定孔１７ａ，１７ｂにはそれぞれリングが固設されてベルトが挿通される。
【００２６】
続いて、図１及び図２を参照しながら使用方法について説明する。
まず、最初に、留め具８の留めを解除してベルト６の長さが自在に変えられるようにする。次に、下部挟持体２ｂをガイド５に沿って下方に移動して、ガードレール１０の幅に合わせる。
そして、上部挟持体２ａの切欠３ａをガードレール１０の上端部に当接させて、下部挟持体２ｂの切欠３ｂをガードレール１０の下端部に当接させる。このとき、ゴム９がガードレール１０の中央部に当接するようにする。続いて、ベルト６の長さがガードレール１０の幅になるようにベルト６を調節し、ベルト６に張力がかかるようにして留め具８を留めると、看板支持具１は、簡単にガードレール１０に固定される。
最後に、看板１１の脚部を看板脚支持筒４に挿入すると、ガードレール１０の近傍に看板１１を標示させることができる。なお、看板１１は予め看板脚支持筒４に挿入した状態で看板支持具１をガードレール１０に取り付けるようにしてもよい。また、本実施の形態では、一対の挟持体２の一の端部側でガードレール１０を挟持するので、看板１１及び看板支持具１がガードレール１０から道路側に突出することなく、通行車両等が接触したりする事故を防止することができる。
【００２７】
次に、看板支持具の補助部材について図３を参照しながら説明する（特に、請求項４に対応）。
図３は、本実施の形態に係る看板支持具の補助部材の概念図である。
図３において、補助部材１８は、第１の看板脚支持筒１９と、第２の看板脚支持筒２１と、第１の看板脚支持筒１９と第２の看板脚支持筒２１を連結する連結部材２３と、この連結部材２３に垂設される脚部２４を備えている。
第１の看板脚支持筒１９及び第２の看板脚支持筒２１は、それぞれ中空で角柱形状で内部に第１の看板脚挿通孔２０及び第２の看板脚挿通孔２２が形成されており、２本の脚部を備える看板の脚部をそれぞれ支持することができる。なお、第１の看板脚挿通孔２０及び第２の看板脚挿通孔２２は角柱に形成されているので、通常の角柱形状の看板の脚部は挿通されると形状が合致して回動が抑止されるが、第１の看板脚支持筒１９及び第２の看板脚支持筒２１に固定具を設けて挿通された看板の脚部の回動や抜脱を防止するようにしてもよい。
また、連結部材２３は、長さ調整機構を設けて第１の看板脚支持筒１９と第２の看板脚支持筒２１の間の距離を自在に変更可能とすると、様々な幅で形成される看板の脚部に対応することができる。
そして、脚部２４は、先に説明した看板支持具の看板脚支持筒に挿通可能であり、したがって、補助部材１８を用いることによって、２本の脚部を備える看板の脚部を第１の看板脚支持筒１９及び第２の看板脚支持筒２１にそれぞれ支持して、脚部２４を看板支持具の看板脚支持筒に支持させることができるので、看板支持具において２本の脚部を備える看板を支持してガードレールの近傍に標示させることが可能である。
【００２８】
このように構成された本実施の形態では、ベルトの長さを自在に変更しながら、下部挟持体をガイドに沿って移動させて、ガードレールの幅に合わせて一対の挟持体でガードレールを挟持し、ベルトを締めて留め具で留めるだけで、簡単にガードレールに看板支持具を固定することができ、看板脚支持筒に看板の脚部を支持させて、看板をガードレール近傍に標示させることができる。そして、一対の挟持体の一の端部にそれぞれ切欠を設けてガードレールの上下端部に当接させるので、一対の挟持体はさらに挟持を安定させたものとなる。また、一対の挟持体の一の端部においてガードレールを挟持するので、看板支持具及び看板がガードレールの道路側に突出することなく、安全性の高いものとなる。
また、ガイドには撓み防止材であるゴムを設けているので、ベルトの張力でガイドが撓むことなく、挟持体の平行状態を安定に保ちながら、その挟持状態を維持することができる。
そして、補助部材を用いることによって、１本の脚部を備える看板だけでなく、２本の脚部を備える看板についても看板支持具に支持することが可能となり、様々な看板をガードレール近傍において標示することを可能としている。
【産業上の利用可能性】
【００２９】
以上説明したように、請求項１乃至請求項４に記載された本考案は、取り付けが簡単でガードレールから道路側に突出しない看板支持具を提供可能であり、道路上のガードレールに設置して利用可能である。
【符号の説明】
【００３０】
１…看板支持具  ２…一対の挟持体  ２ａ…上部挟持体  ２ｂ…下部挟持体  ３ａ，３ｂ…切欠  ４…看板脚支持筒  ５…ガイド  ６…ベルト  ７ａ…リング  ７ｂ…リング  ８…固定具  ９…ゴム  １０…ガードレール  １１…看板  １２…看板脚挿通孔  １３…ガイド部用嵌合孔  １４…ガイド部用貫通孔  １５…看板脚支持筒用嵌合孔  １６ａ，１６ｂ…リング固定孔  １７ａ，１７ｂ…リング固定孔  １８…補助部材  １９…第１の看板脚支持筒  ２０…第１の看板脚挿通孔  ２１…第２の看板脚支持筒  ２２…第２の看板脚挿通孔  ２３…連結部材  ２４…脚部
【図１】
0003162978.tif 000003
【図２】
0003162978.tif 000004
【図３】
0003162978.tif 000005